(57)【要約】【課題】面圧上昇部における潤滑油の導入及び保持特性を良好に維持すると共に、耐スカッフ性及び耐摩耗性を向上させてフリクションの低減を図ることができる内燃機関のピストンを提供する。【解決手段】スカート部２０の少なくともスラスト方向外周面に軸方向に直交する方向の溝状条痕３０が形成され、溝状条痕３０が形成された外周面上に樹脂皮膜層４０が形成されると共に、樹脂皮膜層４０に、スカート部のスラスト方向中央部分の上部に少なくとも最外周の半円弧が重なる形態で、複数の半円弧５２のパターン溝からなる溝パターン５０が形成されている。【選択図】図１
2010156316.tif 000002
【特許請求の範囲】
【請求項１】
スカート部の少なくともスラスト方向外周面に軸方向に直交する方向の溝状条痕が形成され、前記溝状条痕が形成された外周面上に樹脂皮膜層が形成されると共に、前記樹脂皮膜層に、前記スカート部のスラスト方向中央部分の上部に少なくとも最外周の半円弧が重なる形態で、複数の半円弧からなる溝パターンが形成されていることを特徴とする内燃機関のピストン。
【請求項２】
前記樹脂皮膜層の膜厚をa、前記溝状条痕の溝底からの条痕高さをbとするとき、次式の条件を満たすことを特徴とする請求項１に記載の内燃機関のピストン。
「０．５b  ＜  a  ＜  b」
【発明の詳細な説明】
【技術分野】
【０００１】
本発明は、内燃機関のピストンに関する。
【背景技術】
【０００２】
一般に、内燃機関のピストンは、該ピストンの周囲に刻設されるピストンリング溝に保持されるピストンリングを介してシリンダボア内に嵌挿され、該ピストンがピストンピン、コネクティングロッドを介してクランクシャフトに連結されることによって、ピストンの往復運動とクランクシャフトの回転運動との間で運動変換が行なわれる。
【０００３】
なお、ピストンリングとシリンダボア間、及びピストンピン廻りに揺動されるピストンのスカート部とシリンダボア間には潤滑油を存在させ、該潤滑油によって各両者間の潤滑を良好に行うことにより、スカッフィング（溶着）や摩擦を抑制すると共にフリクションの低減などが図られている。
【０００４】
ここで、シリンダ内の空気を圧縮する圧縮行程や燃焼行程などにおいては、ピストン上面側から圧力が作用するが、ピストンに連結されているコネクティングロッドはクランク角度に応じて往復運動方向におけるシリンダ中心軸に対して傾く。結果として、力の釣り合いより、ピストンをシリンダボア内壁に向けて押圧する側圧が発生し、それによってピストンのスカート部がシリンダボア内壁へ押し付けられて面圧が上昇する。このため、ピストンのスカート部とシリンダボア内との間の特に面圧上昇部位の潤滑特性を改善して、ピストンのスカート部とシリンダボア内壁との間で発生するスカッフィング（溶着）を防止すると共に、摩耗を長期に亘って抑制すること、及びフリクションを低減することが要求されている。
【０００５】
このような要求を満たすために、種々の技術が提案されている。例えば特許文献１には、ピストンのスカート部の外周表面に油溝と、油溝の裏面側にこの油溝に対応してリブ状の突起部をピストンの鋳造工程に形成し、ピストン表面に適量の潤滑油を保持するようにしたピストンが開示されている。
【０００６】
また、特許文献２には、ピストン外周面における軸心方向一端から中途部にわたる部分に、螺旋状に油溝を形成したピストンが開示されている。
【０００７】
さらに、特許文献３には、ピストンスカート部に油溝を形成するエッチング方法が開示され、その図面に、複数の放物線状パターンの油溝を有するピストンが開示されている。
【０００８】
なお、特許文献４には、スカート部の外表面に条痕を形成し、この条痕の表面に条痕の溝形状を維持したまま樹脂皮膜をコーティングし、潤滑油を保持するようにしたピストンが開示されている。
【先行技術文献】
【特許文献】
【０００９】
【特許文献１】特開２０００−２９７６９４号公報
【特許文献２】実開昭６１−１７５０６号公報
【特許文献３】特開平５−２１４５６３号公報
【特許文献４】特開２００３−１３８０２号公報
【発明の概要】
【発明が解決しようとする課題】
【００１０】
ところで、上述の、ピストンのスカート部とシリンダボア内壁との間で発生するスカッフィング（溶着）を防止すると共に、摩耗を長期に亘って抑制すること、及びフリクションを低減するという要求を満たすためには、以下の事項が必要である。すなわち、１）上記面圧上昇部に対し、ピストンの下降時において潤滑油の導入を行うこと、２）上記面圧上昇部に導入された潤滑油を保持すること、及び、３）上記面圧上昇部における油膜厚さの減少を抑制することである。
【００１１】
しかしながら、上述の特許文献１ないし４に開示されたピストンでは、上記１）ないし３）の全てを同時に満たすことは期待できず、さらなる改善が要望されている。
【００１２】
そこで、本発明の目的は、上記従来の実情に鑑みなされたもので、面圧上昇部における潤滑油の導入及び保持特性を良好に維持すると共に、耐スカッフ性及び耐摩耗性を向上させてフリクションの低減を図ことができる内燃機関のピストンを提供することにある。
【課題を解決するための手段】
【００１３】
上記の目的を達成するための本発明に係る内燃機関のピストンの一形態は、スカート部の少なくともスラスト方向外周面に軸方向に直交する方向の溝状条痕が形成され、前記溝状条痕が形成された外周面上に樹脂皮膜層が形成されると共に、前記樹脂皮膜層に、前記スカート部のスラスト方向中央部分の上部に少なくとも最外周の半円弧が重なる形態で、複数の半円弧からなる溝パターンが形成されていることを特徴とする。
【００１４】
ここで、前記樹脂皮膜層の膜厚をa、前記溝状条痕の溝底からの条痕高さをbとするとき、次式の条件を満たすことが好ましい。
「０．５b  ＜  a  ＜  b」
【発明の効果】
【００１５】
上記形態によれば、スカート部の少なくともスラスト方向外周面に軸方向に直交する方向の溝状条痕が形成され、前記溝状条痕が形成された外周面上に樹脂皮膜層が形成されている。そして、前記樹脂皮膜層に、前記スカート部のスラスト方向中央部分の上部に少なくとも最外周の半円弧が重なる形態で、複数の半円弧からなる溝パターンが形成されている。かくて、ピストンの下降時においては、複数の半円弧からなる溝パターンの下端部を経て、面圧上昇部に対応するスカート部のスラスト方向中央部分に積極的に潤滑油が導入される。そして、最外周の半円弧が重なるスラスト方向中央部分の上部には、長い油溝が形成されるので、そこに導入された潤滑油は容易に保持される。また、スラスト方向中央部分で面圧が上昇したときには、複数の半円弧からなる溝パターンにより、潤滑油が四方に移動するのが防止されるので、油膜厚さの減少が抑制される。したがって、面圧上昇部における潤滑油の導入及び保持特性を良好に維持すると共に、耐スカッフ性及び耐摩耗性を向上させてフリクションの低減を図ことができる内燃機関のピストンが得られる。
【図面の簡単な説明】
【００１６】
【図１】本発明の一実施の形態に係るピストンをスラスト方向から見た正面図である。
【図２】同上のピストンの側面図である。
【図３】同上のピストンの製作手順を説明する図であり、（Ａ）は溝状条痕が形成されたピストンの正面図、（Ｂ）は樹脂皮膜層の正面図、（Ｃ）は溝状条痕上に樹脂皮膜層が形成されたピストンの正面図である。
【図４】（Ａ）は図１のＡ−Ａ線断面図、（Ｂ）は図１のＢ−Ｂ線断面図である。
【図５】ピストンのスカート部における面圧上昇部位と溝パターンとの関係を示す説明図であり、（Ａ）は面圧上昇部位を、（Ｂ）は面圧上昇部位と溝パターンとを重ねて示す。
【発明を実施するための形態】
【００１７】
以下、添付の図面を参照しつつ、本発明の一実施の形態について詳細に説明する。
【００１８】
本発明の一実施の形態に係るピストン１０は、図１及び図２に示すように、ピストンリングが順にそれぞれ装着される複数の外周溝１４、１６、１８が形成されたピストンランド１２を有し、その下方にスカート部２０及び不図示のピストンピンが嵌合されるピンボス２２を有している。ピンボス２２にはクランク軸の長手方向と略平行な軸線を有するピストンピン孔２４が開設されている。そして、ピンボス２２はピストンピン孔２４の軸線に直交して平行に配置されたサイドウォール２６と一体に形成され、該サイドウォール２６の両端がそれぞれスカート部２０に連続して形成されている。
【００１９】
なお、３つのピストンリングのうち、ピストン頂面（燃焼室）に最も近い部位の外周溝１４に取り付けられるトップリング及びトップリングの次にピストン頂面に近い部位の外周溝１６に取り付けられるセカンドリングは、主に燃焼室からシリンダボア内に圧縮ガスや燃焼ガスが漏出するのを防止するコンプレッションリングとして機能し、また、ピストン頂面に最も遠い部位の外周溝１８に取り付けられるオイルリングは、シリンダボア（クランクケース）から燃焼室にオイルが持ち込まれるのを防止すべく機能する。
【００２０】
ここで、本発明の一実施の形態に係るピストン１０はその母材として、例えば、アルミニウム合金で形成され、このピストン１０の冷間時でのスカート部２０の外周面は、ピンボス２２のピストンピン孔２４の軸線方向が短径で、これに直交するスラスト方向が長径となる断面楕円形状の一部となるように形成されている。
【００２１】
そして、本実施形態では、まず、図３（Ａ）に示すように、母材としてアルミニウム合金で形成されたピストン１０におけるスカート部２０のスラスト及び反スラスト方向外周面にピストン１０の軸方向に直交する方向の複数の溝状条痕３０が形成される。さらに、この溝状条痕３０が形成された外周面上に例えばスクリーン法により樹脂皮膜層４０が形成される。具体的には、樹脂皮膜層４０は、図３（Ｂ）に示すように、複数の同心の半円弧からなる溝パターン５０が形成されており、本実施形態では、この最外周の半円弧がスカート部２０のスラスト及び反スラスト方向中央部分の上部に重なる形態で形成されている。例えば、スクリーン法により樹脂皮膜層４０を形成する場合には、上述の溝パターン５０に対応する部分がマスキングされたスクリーンが用いられて、樹脂皮膜層４０が印刷される。その結果として得られるピストン１０は、図３（Ｃ）及び図１に示す通りである。
【００２２】
なお、樹脂皮膜層４０は、図４（Ｂ）に示すように、その膜厚を「a」とし、溝状条痕３０の溝底からの条痕高さを「b」とするとき、「０．５b  ＜  a  ＜  b」となるようにされている。かくて、アルミニウム合金生地の溝状条痕３０を底壁とし、膜厚「a」の樹脂皮膜層４０により側壁が形成された、複数の同心の半円弧からなるパターン溝部５２が形成されている。そして、これら複数の同心半円弧のパターン溝部５２は、その両下端がピストン１０の軸線方向の下方に開口している。
【００２３】
ここで、前述したように、ピストン１０の往復運動中に生じるピストン１０のスカート部２０における面圧上昇部位６０と溝パターン５０との関係について、図５を参照して説明する。ほぼ円形の面圧上昇部位６０は、図５（Ａ）に示すように、スカート部２０のスラスト及び反スラスト方向中央部分に対応する。したがって、本実施の形態では、図５（Ｂ）に示すように、複数の同心の半円弧からなるパターン溝部５２のうちの最外周の半円弧で形成されるパターン溝部５２１が、上述のほぼ円形の面圧上昇部位６０の上部に重なる形態で形成されている。
【００２４】
なお、図４を参照して説明したように、樹脂皮膜層４０の膜厚「a」を溝状条痕３０の溝底からの条痕高さ「b」よりも小さくすることにより、ピストン１０の使用に伴い樹脂皮膜層４０が磨耗により膜厚が減少したとしても、母材の溝状条痕３０の溝形状がある程度維持されるので、樹脂皮膜層４０自体による潤滑油保持作用を奏させることができる。また、樹脂皮膜層４０の膜厚「a」を溝状条痕３０の溝底からの条痕高さ「b」の半分よりも大きくすることにより、溝パターン５０におけるパターン溝部５２の深さを確保して、後述するように、十分な量の潤滑油の導入及び保持作用を奏させることができる。
【００２５】
上述の実施形態によれば、さらに以下のような作用効果を奏することができる。すなわち、ピストン１０の下降時においては、スカート部２０とシリンダボア間に存在している潤滑油が、パターン溝５２の両下端の開口部を経て、スカート部２０のスラスト及び反スラスト方向中央部分である面圧上昇部位６０に積極的に導入される。そして、最外周の半円弧で形成されるパターン溝部５２１やその次のパターン溝部５２２・・・など比較的長い油溝が形成されるパターン溝部５２が面圧上昇部位６０の大半に重なって形成されており、そこに導入された潤滑油は容易に保持されると共に、ピストン１０の上昇時においても潤滑油が排出されるのが抑制される。また、スラスト方向中央部分で面圧が上昇したときには、複数の半円弧で形成されるパターン溝部５２により、潤滑油が四方に移動するのが防止されるので、油膜厚さの減少が抑制される。したがって、ピストン１０の下降及び上昇時の全行程において、面圧上昇部位６０における潤滑油の導入及び保持特性が良好に維持されて油膜形成を十分に行うことができる。その結果、耐スカッフ性及び耐摩耗性を向上させてフリクションの低減が図れるのである。
【００２６】
次に、上記実施の形態に係るピストンを用意し、パターン溝が形成されていない従来技術によるピストンとの対比のためのフリクションの計測を行った結果、ピストンの上昇行程ではさほど差異が認められないものの、ピストンの下降行程では大幅にフリクションが低減することが確認された。
【符号の説明】
【００２７】
１０      ピストン
２０      スカート部
３０      溝状条痕
４０      樹脂皮膜層
５０      溝パターン
５２      パターン溝
【図１】
2010156316.tif 000003
【図２】
2010156316.tif 000004
【図３】
2010156316.tif 000005
【図４】
2010156316.tif 000006
【図５】
2010156316.tif 000007